(57)【要約】【課題】既存の玄関子機を利用して居住者が敷地外に居る来訪者と応対することができるインターホンシステムを構成する。【解決手段】  玄関子機１０のカメラ１１の視野角内に増設子機２０を設置する。増設子機２０からの呼出信号２７に応答して、居室親機３０が玄関子機１０のカメラ１１と指向性マイク１２および指向性スピーカ１３を起動させる。居室内の居住者は玄関に既設の玄関子機１０を介して敷地外の来訪者８０と通話するとともに、来訪者８０の映像６１がモニタ３１に自動的に拡大して表示される。【選択図】図５
2017108308.tif 000002
【特許請求の範囲】
【請求項１】
玄関周辺を撮影するカメラを備えた玄関子機と、
居室内において前記カメラを起動する手段と、前記カメラが撮影した映像を表示するモニタを備えた居室親機と、
来訪者が前記居室内の居住者を呼び出す呼出ボタンを備えた増設子機とを含み、
前記増設子機を前記カメラの視野角範囲内に設置したことを特徴とするインターホンシステム。
【請求項２】
前記増設子機が前記呼出ボタンの操作に応じて呼出信号を送信する増設子機無線モジュールを備え、
前記玄関子機には、前記増設子機から送信された前記呼出信号を前記居室親機へ中継する信号中継手段を備えたことを特徴とする請求項１記載のインターホンシステム。
【請求項３】
前記玄関子機は、前記増設子機からの前記呼出信号に応答して、前記増設子機周辺で前記来訪者の音声を集音する指向性マイクと、前記増設子機周辺に前記居住者の音像を形成する指向性スピーカとを備えたことを特徴とする請求項１または２に記載のインターホンシステム。
【請求項４】
前記居室親機のモニタは、前記増設子機からの呼出に応答し、前記玄関子機の前記カメラが撮影した映像のうち、前記増設子機周辺の映像を拡大して表示することを特徴とする請求項１〜３記載のインターホンシステム。
【請求項５】
前記増設子機の前記呼出ボタンは、押下されることにより前記呼出信号を発するために必要な電力を発電する手段を備えたことを特徴とする請求項１〜４記載のインターホンシステム。
【発明の詳細な説明】
【技術分野】
【０００１】
本発明は、簡易に子機を増設することができるインターホンシステムに関するものである。
【背景技術】
【０００２】
戸建て住宅に設置されたインターホンシステムとして、建物の玄関の周辺に玄関子機が設けられ居室内の親機との通話ができるように構成されたシステムが知られている。この場合、来訪者は住宅の敷地内に入ってから玄関子機を操作し居住者を呼び出すことになる。住宅の敷地内に来訪者が入らなくても居住者が来訪者の応対をできるようにするためには、住居の敷地への出入口である門等に子機を増設することが必要となる。
【０００３】
しかし、玄関に子機がある住宅において門等に子機を増設するためには、さらなる配線や工事が必要となる。そのため、特許文献１は図７で示すように、呼出・通話等の基本機能を有するテレビドアホンシステム１００に、新たにテレビドアホン子機やテレビドアホン親機等を容易に増設できるようにするために、屋外に設置されているテレビドアホン子機１０１と屋内に設置されるテレビドアホン親機３００とを接続するケーブルの間に中継アダプタ装置４００を設け、屋外に増設設置されるテレビドアホン子機１１０等を、中継アダプタ装置４００を介してテレビドアホン親機３００と接続可能とするシステムを提案している。
【先行技術文献】
【特許文献】
【０００４】
【特許文献１】特開２００４−３０４５５１号公報
【発明の概要】
【発明が解決しようとする課題】
【０００５】
ところが、このような中継アダプタを介するようにしても、増設設置される子機に対する屋外配線がなお必要である。また、増設設置される子機はカメラ、マイク、スピーカを備えた玄関子機と同等のものを新たに設置する必要があり、子機の増設に伴って費用や手間が増える。
【０００６】
そこで、本発明の目的は、既存の玄関子機を利用して居住者が敷地外に居る来訪者と応対することができるインターホンシステムを提供することにある。
【課題を解決するための手段】
【０００７】
上記課題を解決するために、本発明は、次のようなインターホンシステムを提供する。
【０００８】
（１）玄関周辺を撮影するカメラを備えた玄関子機と、居室内においてカメラを起動する手段と、カメラが撮影した映像を表示するモニタを備えた居室親機と、来訪者が居室内の居住者を呼び出す呼出ボタンを備えた増設子機とを含み、増設子機を玄関子機のカメラの視野角範囲内に設置したことを特徴とするインターホンシステム。
【０００９】
（２）増設子機は、呼出ボタンの操作に応じて呼出信号を送信する増設子機無線モジュールを備え、玄関子機には、増設子機から送信された呼出信号を居室親機へ中継する信号中継手段を備えたことを特徴とする上記（１）記載のインターホンシステム。
【００１０】
（３）玄関子機は、増設子機からの呼出信号に応答して増設子機周辺で来訪者の音声を集音する指向性マイクと、増設子機周辺に居住者の音像を形成する指向性スピーカとを備えることを特徴とする上記（１）又は（２）記載のインターホンシステム。
【００１１】
（４）居室親機のモニタは、増設子機からの呼出に応答し、玄関子機のカメラが撮影した映像のうち、増設子機周辺の映像を拡大して表示することを特徴とすることを特徴とする上記（１）〜（３）記載のインターホンシステム。
【００１２】
（５）増設子機の呼出ボタンは、押下されることにより呼出信号を発するために必要な電力を発電する手段を備えたことを特徴とする上記（１）〜（４）記載のインターホンシステム。
【発明の効果】
【００１３】
本発明のインターホンシステムによれば、呼出ボタンを備えた増設子機をカメラの視野角範囲内に設置したので、増設子機で呼出が発生すると、居室親機が玄関子機のカメラを起動させ、カメラが来訪者を撮影し、その映像が居室親機のモニタに表示される。従って、玄関に既設の子機を利用して、居住者が簡易に敷地外に居る来訪者と応答ができるという効果がある。
【図面の簡単な説明】
【００１４】
【図１】本発明の一実施形態によるインターホンシステムを示す概念図である。
【図２】本発明のインターホンシステムの構成を示すブロック図である。
【図３】インターホンシステムの居室親機と玄関子機と増設子機を示す外観図である。
【図４】玄関子機と増設子機の位置関係を示す敷地の平面図である。
【図５】増設子機による呼出がされた場合の玄関子機の動作を示すモデル図である。
【図６】玄関子機のカメラの映像と居室親機のモニタの表示を示す外観図である。
【図７】従来のインターホンシステムを示す概念図である。
【発明を実施するための形態】
【００１５】
以下、本発明の一実施形態を図面に基づいて説明する。図１、図2に示すインターホンシステム１は、住宅９０の居室内に設置された居室親機３０と、住宅９０の玄関９１周辺に設置された玄関子機１０と、敷地の門(門柱、門扉等)９３周辺であって、玄関子機１０のカメラ１１の視野角範囲内に設置された増設子機２０とから構成されている。
【００１６】
図２、図３に示すように、居室親機３０は、住宅９０の居室等に設置され、玄関子機１０から映像および音声情報を受信する親機インターフェイス３７と、玄関子機１０から受信した映像を映し出すモニタ３１と、居住者が訪問者と通話するためのマイク３２およびスピーカ３３と、通話ボタンや終話ボタン等の各種ボタンを含む操作部３４と、居室親機３０の全体を制御する制御部３６とから構成されている。制御部３６は、玄関子機１０および増設子機２０からの呼出に応答して玄関子機１０のカメラ１１を起動する手段として機能する。
【００１７】
図２、図３に示すように、玄関子機１０は、玄関周辺を撮影するカメラ１１と、来訪者８０が居室親機３０を呼び出すための呼出ボタン１４と、来訪者８０が居住者と通話するためのマイク１２およびスピーカ１３と、増設子機２０から送信される呼出信号２７を受信し居室親機３０へ中継する無線モジュール１５と、玄関子機１０の全体を制御する制御部１６と、カメラ１１が撮影した映像およびマイク１２の音声情報を居室親機３０へ送信する子機インターフェイス１７とから構成されている。
【００１８】
玄関子機１０は、呼出ボタン１４により呼出を受けた場合には、玄関脇に立っている来訪者と居住者の通話ができるように構成されるとともに、増設子機２０の呼出ボタン２４が押されたときに、敷地外の来訪者８０と居室内の居住者との通話を中継できるように構成されている。
【００１９】
玄関子機１０のカメラ１１は広角ズームカメラが好ましい。従って図４（Ａ）に示すように玄関９１と門９３が互いに向き合うように配置されている場合のみならず、図４（Ｂ）に示すように玄関９１と門９３が概ね互いに直角となる向きに配置されているような住宅の場合であっても、カメラ１１の視野角内に増設子機２０を設置して、門９３周辺に居る来訪者８０を撮影することができる。
【００２０】
玄関子機１０のマイク１２およびスピーカ１３はそれぞれ指向性を持ち構成し、マイク１２には来訪者８０が立っていると想定される門９３周辺の音を集音できるようなズームマイクが使用されるとともに、スピーカ１３には居住者の音声を門の増設子機２０周辺にいる来訪者８０の周辺（図４（Ａ）（Ｂ）で示した音像形成範囲７０のような範囲）に来訪者８０にのみ聞こえる音像を形成する超音波スピーカ・アレイ等の超指向性スピーカが使用されている。これにより、増設子機２０に通話手段を設けることなく、居住者と来訪者の通話が玄関子機１０を通じて可能となる。
【００２１】
玄関子機１０から増設子機２０の距離は、玄関子機１０のカメラ１１から撮像できる距離であることと、玄関子機のマイク１２及びスピーカ１３により増設子機２０周辺に居る来訪者８０と通話できる距離であることが求められる。従って、好ましくは２メートルから５メートル以内の距離である。
【００２２】
図２、図３に示すように、増設子機２０は、訪問者が居室親機３０を呼び出すための呼出ボタン２４と、呼出ボタン２４が押されたときに呼出信号２７を玄関子機へ送信する無線モジュール２５と、増設子機２０の全体を制御する制御部２６とから構成されている。
【００２３】
増設子機２０はカメラ及びマイクやスピーカといった通話手段が設けられておらず、無線通信により呼出信号２７を送信する機能のみ設けられている。従って、その設置に有線の通信線を接続することを必要とせず、設置する際の自由度が高い。
【００２４】
増設子機２０は、電源線や電池から電力を供給し動作させることもできるが、利便性やメンテナンス性を向上させるためには、配線レスあるいは電池レスで動作を可能とすることが望ましい。そのため、増設子機２０に光エネルギーを利用する太陽電池や、呼出ボタン２４が押された際に発生する物理的動き、振動、温度変化等の環境変化により生じる起電力を利用するといった、いわゆるエナジーハーベスト技術（環境発電技術）により電力を生成し、増設子機２０から呼出信号２７を発するために必要な電力を発電する手段が設けられる。これにより、電源線の管理や電池の交換等のメンテナンスの必要がなくなりより簡易に増設子機２０の設置が可能となる。
【００２５】
次に、上記構成のインターホンシステム１の動作について、図５に従って説明する。来訪者８０が門９３周辺に設置された増設子機２０の呼出ボタン２４を押すことにより、増設子機２０の無線モジュール２５から玄関子機１０の無線モジュール１５に向かって呼出信号２７が発せられる（矢印Ｓ１）。玄関子機１０は呼出信号２７を受信して居室親機３０に中継する。居室親機３０は呼出信号に応答して、玄関子機１０のカメラ１１、マイク１２、スピーカ１３を動作するための起動信号を玄関子機１０に送信する。
【００２６】
そして、起動信号に応答し、カメラ１１が玄関９３周辺の撮影を開始し（矢印Ｓ２）、玄関子機１０がカメラ１１の視野角範囲内に設置された増設子機２０の近くに立つ来訪者８０を含む映像を居室親機３０に送信する。同時に、玄関子機１０のマイク１２が来訪者８０の音を集音する（矢印Ｓ３）とともに、スピーカ１３から発せられた居住者の音声が門９３の側にいる来訪者８０の周辺（図４で示した音像形成範囲７０のような範囲）に音像を形成する（矢印Ｓ４）。
【００２７】
図６で示すように、カメラ１１で撮像された映像６０は、居室親機３０側で必要な部分を表示するように調整することができる。図６（Ａ）で示すように、来訪者８０が玄関子機１０の呼出ボタン１４を押して呼出した場合、カメラの正面に立っている来訪者の映像が居室親機３０のモニタ３１に表示される一方、図６（Ｂ）で示すように、来訪者８０が増設子機２０の呼出ボタン２４を押して呼出した場合は、撮像された映像６０中、門９３周辺にいる来訪者８０の映像６１がモニタ３１に拡大表示される。この動作は、あらかじめ門９３周辺を拡大表示するように設定しておいても、撮像開始後に映像中の来訪者８０を顔認識機能等で特定し、その情報に基づいて拡大するように設定してもよい。
【００２８】
従って、この実施形態のインターホンシステム１によれば、増設子機２０からの呼出信号２７に応答して、玄関子機１０のカメラ１１と指向性マイク１２および指向性スピーカ１３を起動させ、居室内の居住者が玄関に既設の玄関子機１０を介して敷地外の来訪者８０と支障なく通話することができる。特に、来訪者８０の映像６１がモニタ３１に自動的に拡大して表示されるので、居住者は玄関から比較的遠方に立つ来訪者８０をはっきりと視認することができる。
【００２９】
なお、本発明は、上記実施形態に限定されるものではなく、以下に例示するように発明の趣旨を逸脱しない範囲で、各部の構成を適宜変更して実施することも可能である。
（１）玄関子機１０に設けられている無線モジュール１５は、増設子機２０の呼出信号２７を居室親機３０に中継することでシステムを動作させるトリガーとして機能することから、その設置場所は適宜変更することができる。例えば、居室親機３０内に無線モジュールを設けることもできるし、別途独立して無線モジュールを設置することもできる。独立して設置する場合は、当該システム１において無線モジュールを有しない既存の玄関子機を使用できる利点がある。
【００３０】
（２）増設子機２０が玄関子機１０の視野角内に設置される限り、その設置数が複数であっても可能である。
【符号の説明】
【００３１】
１      インターホンシステム
１０    玄関子機
１１    カメラ
１２    マイク
１３    スピーカ
１４    呼出ボタン
１５    無線モジュール
１６    制御部
１７    子機インターフェイス
２０    増設子機
２４    呼出ボタン
２５    無線モジュール
２６    制御部
２７    呼出信号
３０    居室親機
３１    モニタ
３２    マイク
３３    スピーカ
３４    操作部
３６    制御部
３７    親機インターフェイス
６０    カメラ１１で撮像された映像
６１    門９３周辺にいる来訪者８０の映像
７０    音像形成範囲
８０    来訪者
９０    住宅
９１    玄関
９２    塀
９３    門
【図１】
2017108308.tif 000003
【図２】
2017108308.tif 000004
【図３】
2017108308.tif 000005
【図４】
2017108308.tif 000006
【図５】
2017108308.tif 000007
【図６】
2017108308.tif 000008
【図７】
2017108308.tif 000009